(57)【要約】【課題】緩みが生じた部分を緩みのない状態で拘束して、この部分に着心地を悪くするしわが生じることを抑えることが可能な着用具の提供。【解決手段】パンツ１０（着用具）は、着用者９０の着用部位を輪状に取り巻く取り巻き部分１０Ａと、取り巻き部分１０Ａに沿ってその輪を縮める弾発力を生む平ゴム１１（第１の弾性帯）とを備える。また、パンツ１０は、平ゴム１１において着用部位とは反対側に突出され、柔軟なパイルが突出したＢ面に硬質の係止突起２１Ａが突出したＡ面２１を貼り付ける面ファスナーであるパイルアンドフック２０のＡ面２１を貼り付け可能とするパイル組織１２を備える。【選択図】図８
0003196912.tif 000002
【実用新案登録請求の範囲】
【請求項１】
着用者が所定の着用部位に着用する着用具において、
前記着用者の前記着用部位を輪状に取り巻く取り巻き部分と、
前記取り巻き部分に沿うように設けられて、当該取り巻き部分の輪を縮めるように弾発力を発生させる第１の弾性帯と、
前記第１の弾性帯において前記着用部位とは反対側となる面から突出されることで、この面に、比較的柔軟なパイルが突出されるＢ面に比較的硬質の係止突起が突出されるＡ面を貼り付ける面ファスナーであるパイルアンドフックにおけるＡ面を貼り付けることを可能とするパイル組織と、
を備えている、
着用具。
【請求項２】
請求項１に記載された前記着用具における前記第１の弾性帯に貼り付けることが可能なＡ面を有するパイルアンドフックであって、
伸ばした状態で前記着用具の前記第１の弾性帯に沿うように被せて配設することが可能な帯として形成され、かつ、伸ばした状態で前記第１の弾性帯に沿うように被せて配設された場合には、当該第１の弾性帯の伸びに抵抗するように弾発力を発生させる第２の弾性帯と、
前記第２の弾性帯の片面から突出されて、この面の全体を前記着用具における前記第１の弾性帯の前記パイル組織に貼り付け可能なＡ面とする係止突起と、
を備えている、
パイルアンドフック。
【請求項３】
請求項１に記載された着用具であって、
前記取り巻き部分において前記第１の弾性帯に沿う部分から前記取り巻き部分の輪の幅方向に延長されて、前記第１の弾性帯および前記パイル組織に覆い被せることが可能な延長部分を備えている、
着用具。
【請求項４】
請求項３に記載された着用具であって、
前記延長部分を前記第１の弾性帯および前記パイル組織に覆い被せられた状態に留めることが可能なファスナーを備えている、
着用具。
【考案の詳細な説明】
【技術分野】
【０００１】
本考案は、着用者が所定の着用部位に着用する着用具、および、この着用具に貼り付けることが可能なパイルアンドフックに関する。
【背景技術】
【０００２】
例えばパンツあるいはスカートなどの下半身に着用される着用具には、着用者のウエストを取り巻く輪状の部分をゴムひもで締めることで、着用具の脱げ落ちを抑える構成が備えられたものがある。このような着用具は、長期間使用しているとゴムひもに破断あるいは伸びによる緩みが生じることで、脱げ落ちやすくなるとともに着心地が悪くなるため、その都度着用具のゴムひもあるいは着用具全体を新しいものに交換する必要があるものである。
【０００３】
ゴムひもなどを有する弾性帯により脱げ落ちが抑えられる着用具を長期間着心地よく使用できるようにする技術としては、例えば下記の特許文献１に記載された技術が従来から知られている。この技術は、下半身に着用される着用具であるズボン下のウエスト部分に、追加でゴムひも入りの弾性帯を着脱自在に取り付けるものである。この技術によれば、追加の弾性帯がウエスト部分を緊縮させる作用により、ズボン下の着心地をよくすることができる。
【先行技術文献】
【特許文献】
【０００４】
【特許文献１】実公昭１４−０１４１８７号公報
【考案の概要】
【考案が解決しようとする課題】
【０００５】
しかし、上記特許文献１に記載された技術では、下半身に着用される着用具であるズボン下のウエスト部分の２個所に縫い付けられたボタンに掛け渡されることで追加の弾性帯が取り付けられる。このため、上記特許文献１の技術においては、緩みが生じているズボン下のウエスト部分が追加の弾性帯により緊縮されると、この追加の弾性帯により緊縮されるズボン下のウエスト部分にしわが生じて、ズボン下の着心地が悪くなるという問題が発生していた。
【０００６】
本考案は、追加の帯により緩みをなくして着心地を向上させる着用具において、着用具において緩みが生じた部分を緩みのない状態で拘束することで、この部分に着用具の着心地を悪くするしわが生じることを抑えることを可能とするものである。
【課題を解決するための手段】
【０００７】
上記課題を解決するために、本考案の着用具およびパイルアンドフックは以下の手段をとる。
【０００８】
まず、第１の考案は、着用者が所定の着用部位に着用する着用具である。この着用具は、着用者の着用部位を輪状に取り巻く取り巻き部分を備えている。また、上記着用具は、上記取り巻き部分に沿うように設けられて、この取り巻き部分の輪を縮めるように弾発力を発生させる第１の弾性帯を備えている。また、上記着用具は、上記第１の弾性帯において着用部位とは反対側となる面から突出されることで、この面にパイルアンドフックにおけるＡ面を貼り付けることを可能とするパイル組織を備えている。ここで、パイルアンドフックは、比較的柔軟なパイルが突出されるＢ面に比較的硬質の係止突起が突出されるＡ面を貼り付ける面ファスナーである。
【０００９】
この第１の考案によれば、着用者の着用部位を取り巻く取り巻き部分の輪を縮める第１の弾性帯の弾発力により、着用具の着心地が向上される。また、上記第１の考案によれば、第１の弾性帯に緩みが生じた場合に、この緩みが生じた部分をパイルアンドフックの貼り付けにより緩みのない状態で拘束することで、この部分に着用具の着心地を悪くするしわが生じることを抑えることができる。また、上記第１の考案によれば、パイルアンドフックの貼り付けに必要な係止突起を着用具に設けることなく、この着用具にパイルアンドフックを貼り付けることが可能となる。これにより、パイルアンドフックを貼り付けない状態で使用する場合に、このパイルアンドフックの貼り付けに必要な係止突起からの硬い感触をなくして、この硬い感触による着用具の着心地の悪化がなくされた着用具を提供することができる。
【００１０】
ついで、第２の考案は、上述した第１の考案の着用具における第１の弾性帯に貼り付けることが可能なＡ面を有するパイルアンドフックである。このパイルアンドフックは、伸ばした状態で着用具の第１の弾性帯に沿うように被せて配設することが可能な帯として形成され、かつ、伸ばした状態で第１の弾性帯に沿うように被せて配設された場合には、この第１の弾性帯の伸びに抵抗するように弾発力を発生させる第２の弾性帯を備えている。また、上記パイルアンドフックは、上記第２の弾性帯の片面から突出されて、この面の全体を着用具における第１の弾性帯のパイル組織に貼り付け可能なＡ面とする係止突起を備えている。
【００１１】
この第２の考案のパイルアンドフックによれば、上述した着用具において第１の弾性帯が緩んでその弾発力が不足する場合に、この第１の弾性帯に沿って伸ばした状態の第２の弾性帯を被せて配設し、その弾発力により上記第１の弾性帯の弾発力を補うことができる。また、上記第２の考案によれば、第２の弾性帯において係止突起が備えられる片面全体を上記着用具の第１の弾性帯に貼り付けることで、比較的硬質なパイルアンドフックの係止突起を上記着用具と上記第２の弾性帯の間のみに位置させることができる。これにより、着用者に上記係止突起の硬い感触を与えにくくして、この硬い感触による着用具の着心地の悪化を抑えることができる。
【００１２】
さらに、第３の考案は、上述した第１の考案であって、上記取り巻き部分において上記第１の弾性帯に沿う部分から取り巻き部分の輪の幅方向に延長されて、上記第１の弾性帯および上記パイル組織に覆い被せることが可能な延長部分を備えているものである。
【００１３】
この第３の考案によれば、比較的硬質の係止突起を有するＡ面側のパイルアンドフックが貼り付けられた状態の着用具を使用する場合に、上記Ａ面側のパイルアンドフックに着用具の延長部分を覆い被せて、着用者と上記係止突起との直接接触を抑えることができる。これにより、着用者に上記係止突起の硬い感触が与えられにくくされて、この硬い感触による着心地の悪化が抑えられた着用具を提供することができる。
【００１４】
さらに、第４の考案は、上述した第３の考案であって、上記延長部分を上記第１の弾性帯および上記パイル組織に覆い被せられた状態に留めることが可能なファスナーを備えているものである。
【００１５】
この第４の考案によれば、上述したＡ面側のパイルアンドフックに覆い被せられた延長部分をファスナーにより留めることで、この延長部分がめくれ上がって着用者と上記係止突起とが直接接触されうる状態となることを抑えることができる。これにより、着用者に上記係止突起の硬い感触がより与えられにくくされて、この硬い感触による着心地の悪化がさらに抑えられた着用具を提供することができる。
【図面の簡単な説明】
【００１６】
【図１】本考案の第１の実施形態にかかる着用具であるパンツ１０を表した正面図である。
【図２】図１のＩＩ−ＩＩ線断面矢視図である。
【図３】平ゴム１１が破断されたパンツ１０にパイルアンドフック８０を貼り付けた状態を表した正面図である。
【図４】図３のＩＶ−ＩＶ線断面拡大図である。
【図５】本考案の一実施形態にかかるパイルアンドフック２０を一部省略して表した正面図である。
【図６】図５のＶＩ−ＶＩ線断面図である。
【図７】図１のパンツ１０に図５のパイルアンドフック２０を貼り付けた状態を表した正面図である。
【図８】図７のＶＩＩＩ−ＶＩＩＩ線断面拡大図である。
【図９】本考案の第２の実施形態にかかる着用具であるパンツ３０に図５のパイルアンドフック２０を貼り付けた状態を表した正面図である。
【図１０】図９のパンツ３０の着用状態を表した正面図である。
【図１１】図１０のＸＩ−ＸＩ線断面拡大図である。
【図１２】本考案の第３の実施形態にかかる着用具であるトレーナー４０を表した正面図である。
【図１３】図１２のＸＩＩＩ−ＸＩＩＩ線断面拡大図である。
【図１４】本考案の別の実施形態にかかる着用具を説明する説明図である。
【考案を実施するための形態】
【００１７】
以下に、本考案を実施するための形態について、図面を用いて説明する。なお、以下においては、パンツ１０（図１参照）の各構成を縫い合わせる縫い糸などの付随的な構成について、その図示および詳細な説明を省略する。
【００１８】
始めに、第１の実施形態にかかる着用具であるパンツ１０の構成について、図１ないし図４を用いて説明する。このパンツ１０は、図１に示すように、着用者９０の腰９０Ａを着用部位として、この腰９０Ａを覆った状態に着用されるパンツである。このパンツ１０は、図１および図２に示すように、着用時に腰９０Ａを覆う身頃の上部が、この腰９０Ａを輪状に取り巻く取り巻き部分１０Ａとして形成されている。
【００１９】
また、パンツ１０には、その取り巻き部分１０Ａの輪の上縁全周に沿って、繊維で覆われた帯状のゴムひもである平ゴム１１が縫い付けられて設けられている。この平ゴム１１は、着用者９０の腰９０Ａを取り巻く取り巻き部分１０Ａの輪を縮めるように弾発力を発生させることで、パンツ１０の脱げ落ちを抑えるとともに、このパンツ１０の着心地を向上させるようになっている。すなわち、平ゴム１１は、本考案における「第１の弾性帯」に相当する。
【００２０】
平ゴム１１は、図１ないし図４に示すように、パンツ１０の着用時に外側（すなわち腰９０Ａとは反対側）となる面（図２参照）がパイル組織１２で覆われた構成となっている。このパイル組織１２は、繊維からなる多数のループ１２Ａを外側（図４で見て上側）に突出させることで、平ゴム１１の外側の面に後述するパイルアンドフック８０のＡ面８１を貼り付ける（図４参照）ことができるようになっている。
【００２１】
ここで、パイルアンドフック８０は、図４に示すように、プラスチック製の帯として形成されたベース８０Ａの片面全体を、パイル組織１２のループ１２Ａよりも硬いプラスチック製の係止突起８１Ａが多数突出されるＡ面８１としたパイルアンドフックである。この構成により、パイルアンドフック８０は、係止突起８１Ａよりも柔軟なパイルが突出されるＢ面を有するパイルアンドフック（図示省略）に対して、このパイルアンドフックのＢ面にＡ面８１を貼り付ける面ファスナーとして機能される。なお、図４においては、各係止突起８１Ａは二又に分岐されたかぎ形状に形成されているが、この各係止突起８１Ａの形状は、例えば線材の先端を半球形または球形とした形状、あるいは、分岐のない釣り針状のかぎ形状など、適宜変更することができるものである。
【００２２】
上述した各構成によれば、図３および図４に示すように、パンツ１０の平ゴム１１が破断して局所的に緩んだ破断部分１１Ａが生じた場合に、この破断部分１１Ａをパイルアンドフック８０の貼り付けにより緩みのない状態で拘束することができる。これにより、パンツ１０において、平ゴム１１が破断することによる着心地の悪化を抑えながら、その破断部分１１Ａにパンツ１０の着心地を悪くするしわが生じることを抑えることができる。また、上記各構成によれば、パイルアンドフック８０の貼り付けに必要な係止突起をパンツ１０に設けることなく、このパンツ１０にパイルアンドフック８０を貼り付けることが可能となる。これにより、パイルアンドフック８０を貼り付けない状態で使用する場合に、このパイルアンドフック８０の貼り付けに必要な係止突起８１Ａからの硬い感触をなくして、この硬い感触による着心地の悪化がなくされたパンツ１０を提供することができる。
【００２３】
続いて、本考案の一実施形態にかかるパイルアンドフック２０の構成について、図５ないし図８を用いて説明する。このパイルアンドフック２０は、図７に示すように、パンツ１０の平ゴム１１を外側から取り巻くことができる長尺の帯状に形成されたパイルアンドフックである。
【００２４】
パイルアンドフック２０は、図５および図６に示すように、表面部分が伸縮可能な編み物とされたゴムひもであって、パイルアンドフック２０の全体形状に対応する長尺の帯状に形成された平ゴム２２を備えている。この平ゴム２２は、図７に示すように、伸ばした状態でパンツ１０の平ゴム１１に沿うように被せて配設することが可能な帯として形成されている。そして、平ゴム２２は、伸ばした状態でパンツ１０の平ゴム１１に沿うように被せて配設された場合に、この平ゴム１１の伸縮に応じて伸縮されて、平ゴム１１の伸びに抵抗するように弾発力を発生させることができるようになっている。すなわち、平ゴム２２は、本考案における「第２の弾性帯」に相当する。
【００２５】
また、平ゴム２２は、図６に示すように、その片面全体が、パンツ１０におけるパイル組織１２のループ１２Ａ（図８参照）よりも硬いプラスチック製の係止突起２１Ａを多数突出させたＡ面２１とされている。この構成により、パイルアンドフック２０は、係止突起２１Ａよりも柔軟なパイルが突出されるＢ面を有するパイルアンドフック（図示省略）に対して、このパイルアンドフックのＢ面にＡ面２１を貼り付ける面ファスナーとして機能することができる。そして、パイルアンドフック２０は、図７および図８に示すように、そのＡ面２１をパンツ１０のパイル組織１２に貼り付けることが可能とされる。なお、パイルアンドフック２０の各係止突起２１Ａは、図６および図８に示すように、平ゴム２２の表面部分を構成する伸縮可能な編み物をベース２０Ａとして、このベース２０Ａから突出される。
【００２６】
上述した各構成によれば、パンツ１０の平ゴム１１が緩んでその弾発力が不足する場合に、この平ゴム１１に沿って伸ばした状態の平ゴム２２を被せて配設して、その弾発力により平ゴム１１の弾発力を補うことができる。また、平ゴム２２において各係止突起２１Ａが備えられる片面全体をパンツ１０の平ゴム１１に貼り付けることで、比較的硬質なパイルアンドフック２０の各係止突起２１Ａをパンツ１０と平ゴム２２の間のみに位置させることができる。これにより、パンツ１０の着用者９０（図８参照）に各係止突起２１Ａの硬い感触を与えにくくして、この硬い感触によるパンツ１０の着心地の悪化を抑えることができる。
【００２７】
ところで、パイルアンドフック２０の平ゴム２２は、図８に示すように、その幅２０Ｂがパンツ１０の平ゴム１１の幅１１Ｂよりも狭くなる（例えば幅１１Ｂが４［ｃｍ］である場合に幅２０Ｂを３［ｃｍ］とする）ように形成されている。この構成によれば、パンツ１０の平ゴム１１に対するパイルアンドフック２０のＡ面２１の貼り付け位置が位置ずれして、このＡ面２１に突出される比較的硬質の係止突起２１Ａが着用者９０（図８参照）と直接接触することを抑えることができる。これにより、着用者９０に係止突起２１Ａの硬い感触を与えにくくして、この硬い感触によるパンツ１０の着心地の悪化を抑えることができる。
【００２８】
続いて、第２の実施形態にかかる着用具であるパンツ３０の構成について、主に図９ないし図１１を用いて説明する。ここで、パンツ３０は、上述したパンツ１０の変形例であるため、このパンツ１０の各構成と共通する構成については、パンツ１０の各構成に付した符号から、その十の位の数字を「３」に置き換えた符号を付して対応させ、その詳細な説明を省略する。
【００２９】
パンツ３０は、図１１に示すように、パンツ１０において取り巻き部分１０Ａの輪の上縁に沿う平ゴム１１（図２参照）の代わりに、取り巻き部分３０Ａの輪において腰９０Ａとは反対側（図１１で見て上側）となる面を覆うように縫い付けられる平ゴム３１を備えている。この平ゴム３１は、図９に示すように、その幅３１Ｂがパイルアンドフック２０の幅２０Ｂと同じ幅（例えば３［ｃｍ］）となるように形成されて、取り巻き部分３０Ａの輪の全周を取り巻く輪とされている。
【００３０】
また、図１１に示すように、平ゴム３１において取り巻き部分３０Ａとは反対側となる外側（図１１で見て上側）の面は、多数の繊維からなる毛房３２Ａを外側に突出させたパイル組織３２によって覆われている。このパイル組織３２の毛房３２Ａは、平ゴム３１の外側の面にパイルアンドフック２０のＡ面２１を貼り付けることを実現させるものである。
【００３１】
また、パンツ３０において平ゴム３１に沿う取り巻き部分３０Ａの輪の上縁には、図９に示すように、この上縁から取り巻き部分３０Ａの輪の幅方向（図９では上方向）に延長されるように、延長部分３３が縫い付けられている。この延長部分３３は、伸縮性のある布地（例えばメリヤス）によって形成されて、取り巻き部分３０Ａの輪に対してこの輪の内外両側のいずれに向けても折り返すことができるようになっている。そして、延長部分３３は、図９および図１０に示すように、平ゴム３１およびパイル組織３２、ならびに、平ゴム３１にパイルアンドフック２０が貼り付けられている場合には、このパイルアンドフック２０に覆い被せることができるようになっている。
【００３２】
上記構成によれば、比較的硬質の係止突起２１Ａが突出されるＡ面２１（図６参照）を有するパイルアンドフック２０が貼り付けられた状態のパンツ３０を使用する場合に、パイルアンドフック２０にパンツ３０の延長部分３３を覆い被せることができる。これにより、着用者９０（図１１参照）と係止突起２１Ａとの直接接触を抑えてこの係止突起２１Ａの硬い感触が与えられにくくされ、この硬い感触による着心地の悪化が抑えられたパンツ３０を提供することができる。
【００３３】
ところで、取り巻き部分３０Ａにおいて平ゴム３１の下縁に沿う部分には、図９および図１１に示すように、パンツ３０の外側（図１１で見て上側）に向かって突出された凸スナップ３３Ｂが設けられている。また、延長部分３３においてこの延長部分３３を平ゴム３１に覆い被せた際に凸スナップ３３Ｂと対向される部分には、図１１に示すように、この凸スナップ３３Ｂと互いに嵌め合わせることができる凹スナップ３３Ａが設けられている。なお、パンツ３０においては、凹スナップ３３Ａおよび凸スナップ３３Ｂは、それぞれ１つずつ設けられている。
【００３４】
凹スナップ３３Ａおよび凸スナップ３３Ｂは、図１０および図１１に示すように、延長部分３３を平ゴム３１に覆い被せた際に互いに嵌め合わされることで、延長部分３３を平ゴム３１およびパイル組織３２に覆い被せられた状態に留めることを可能とする。すなわち、凹スナップ３３Ａおよび凸スナップ３３Ｂは、本考案における「ファスナー」に相当する。
【００３５】
上記構成によれば、パイルアンドフック２０に覆い被せられた延長部分３３を凹スナップ３３Ａおよび凸スナップ３３Ｂにより留めることで、延長部分３３がめくれ上がって着用者９０と係止突起２１Ａとが直接接触されうる状態となることを抑えることができる。これにより、着用者９０に対して係止突起２１Ａの硬い感触がより与えられにくくされて、この硬い感触による着心地の悪化がさらに抑えられたパンツ３０を提供することができる。
【００３６】
続いて、第３の実施形態にかかる着用具であるトレーナー４０の構成について、図１２および図１３を用いて説明する。このトレーナー４０は、図１２に示すように、着用者９０が上半身に着用するトレーナーである。このトレーナー４０は、着用者９０の腰９０Ａを輪状に取り巻く裾リブ４０Ａと、着用者９０の手首９０Ｂを輪状に取り巻く袖リブ４０Ｂと、着用者９０の首９０Ｃを輪状に取り巻く襟リブ４０Ｃとを備えている。すなわち、着用者９０の腰９０Ａ、手首９０Ｂ、および、首９０Ｃは、それぞれ本考案における「着用部位」に相当する。また、トレーナー４０の裾リブ４０Ａ、袖リブ４０Ｂ、および、襟リブ４０Ｃは、それぞれ本考案における「取り巻き部分」に相当する。
【００３７】
なお、トレーナー４０において、袖リブ４０Ｂおよび襟リブ４０Ｃは、対応する着用部位の違いに応じて異なるサイズに形成されている点を除き、裾リブ４０Ａと全く同じ構成となっている。このため、本明細書においては、袖リブ４０Ｂおよび襟リブ４０Ｃの具体的な構成について、これらの詳細な説明および図示を省略する。
【００３８】
トレーナー４０の裾リブ４０Ａは、図１３に示すように、片側の面（図１３で見て上側の面）に輪奈４２Ａが突出された織物である輪奈ビロード４２によって形成されている。この輪奈ビロード４２は、輪奈４２Ａを形成する緩みを持たされた毛経糸４２Ｂと緊張された地経糸４２Ｃの２種類の経糸に対して、ゴム糸４１を緯糸として織り上げられることで、この緯糸の方向に伸縮されるように形成されている。
【００３９】
ここで、輪奈ビロード４２は、図１２および図１３に示すように、その緯糸の方向が裾リブ４０Ａの輪に沿う方向（図１２で見て左右方向）となるように配設されている。これにより、輪奈ビロード４２は、裾リブ４０Ａの輪を縮めるように弾発力を発生させる第１の弾性帯として機能される。
【００４０】
また、輪奈ビロード４２は、その輪奈４２Ａを、トレーナー４０の着用時に腰９０Ａとは反対側となる外側（図１３で見て上側）に突出させることで、この外側の面にパイルアンドフック２０のＡ面２１を貼り付けることができるように構成されている。すなわち、輪奈ビロード４２は、本考案における「パイル組織」に相当する。
【００４１】
ところで、トレーナー４０において、裾リブ４０Ａを形成する輪奈ビロード４２の輪奈４２Ａは、図１２に示すように、トレーナー４０の着用時に外部に露見される位置に設けられている。この構成によれば、着用者９０は、トレーナー４０の裾リブ４０Ａに貼り付けられるパイルアンドフック２０を外部に露見させて、このパイルアンドフック２０によるトレーナー４０のファッションの変化を楽しむことができる。
【００４２】
本考案は、上述した各実施形態で説明した外観、構成に限定されず、本考案の要旨を変更しない範囲で種々の変更、追加、削除が可能である。例えば、以下のような各種の形態を実施することができる。
【００４３】
（１）上述したパンツ３０（図９参照）において、その凹スナップ３３Ａおよび凸スナップ３３Ｂを、線ファスナーおよびパイルアンドフックを含む任意の種類のファスナーに置き換えた変形例を採用することができる。
【００４４】
（２）本考案の着用具は、例えば図１４に示されたスカート５０、腕貫き６０、および、シュシュ７０、ならびに、図示しないパジャマを含む任意の着用具とすることができるものである。ここで、スカート５０においては、着用部位となる着用者９０の腰９０Ａを輪状に取り巻く取り巻き部分５０Ａの上縁全周に沿って第１の弾性帯となる平ゴム５１が縫い付けられ、この平ゴム５１の外表面にパイル組織５２が設けられる。また、腕貫き６０においては、着用部位となる着用者９０の手首９０Ｂおよび腕９０Ｄを輪状に取り巻く取り巻き部分６０Ａの各端縁の全周に第１の弾性帯となる平ゴム６１が縫い付けられ、この平ゴム６１の外表面にパイル組織６２が設けられる。また、シュシュ７０は、ループ（図示省略）を有するタオル地７２により外表面が覆われた輪状のパイルゴム７１を、レース生地７０Ａに開いた複数の孔（図示省略）に連通させることで、このレース生地７０Ａを輪状にまとめたものである。そして、シュシュ７０は、着用者９０の髪９０Ｅを着用部位として、この髪９０Ｅをレース生地７０Ａが輪状に取り巻くように着用される。ここで、レース生地７０Ａは本考案における取り巻き部分として機能され、パイルゴム７１は本考案における第１の弾性帯として機能され、タオル地７２は本考案におけるパイル組織として機能される。
【００４５】
（３）本考案にかかる着用具において、第１の弾性帯は、着用者の着用部位を輪状に取り巻く取り巻き部分の全周に沿って設けられたものである必要はない。すなわち、本考案にかかる着用具においては、その取り巻き部分の輪の一部のみに第１の弾性帯を沿わせて、この第１の弾性帯に上記の輪の一部のみを縮める弾発力を発揮させる構成を採用することができる。
【００４６】
（４）上述したパイルアンドフック２０において、その帯における両端を繋ぎ合わせて輪とした変形例を採用することができる。この変形例にかかるパイルアンドフックは、その輪の周長を伸ばすように広げられて、そのＡ面を内側に向けた状態で着用具のパイル組織に被せられることで、このパイル組織に貼り付けられる。
【符号の説明】
【００４７】
１０    パンツ（着用具）
１０Ａ  取り巻き部分
１１    平ゴム（第１の弾性帯）
１１Ａ  破断部分
１１Ｂ  幅
１２    パイル組織
１２Ａ  ループ
２０    パイルアンドフック
２０Ａ  ベース
２０Ｂ  幅
２１    Ａ面
２１Ａ  係止突起
２２    平ゴム（第２の弾性帯）
３０    パンツ（着用具）
３０Ａ  取り巻き部分
３１    平ゴム（第１の弾性帯）
３１Ｂ  幅
３２    パイル組織
３２Ａ  毛房
３３    延長部分
３３Ａ  凹スナップ（ファスナー）
３３Ｂ  凸スナップ（ファスナー）
４０    トレーナー（着用具）
４０Ａ  裾リブ（取り巻き部分）
４０Ｂ  袖リブ（取り巻き部分）
４０Ｃ  襟リブ（取り巻き部分）
４１    ゴム糸
４２    輪奈ビロード（第１の弾性帯、パイル組織）
４２Ａ  輪奈
４２Ｂ  毛経糸
４２Ｃ  地経糸
５０    スカート（着用具）
５０Ａ  取り巻き部分
５１    平ゴム（第１の弾性帯）
５２    パイル組織
６０    腕貫き（着用具）
６０Ａ  取り巻き部分
６１    平ゴム（第１の弾性帯）
６２    パイル組織
７０    シュシュ（着用具）
７０Ａ  レース生地（取り巻き部分）
７１    パイルゴム（第１の弾性帯）
７２    タオル地（パイル組織）
８０    パイルアンドフック
８０Ａ  ベース
８１    Ａ面
８１Ａ  係止突起
９０    着用者
９０Ａ  腰（着用部位）
９０Ｂ  手首（着用部位）
９０Ｃ  首（着用部位）
９０Ｄ  腕（着用部位）
９０Ｅ  髪（着用部位）
【図１】
0003196912.tif 000003
【図２】
0003196912.tif 000004
【図３】
0003196912.tif 000005
【図４】
0003196912.tif 000006
【図５】
0003196912.tif 000007
【図６】
0003196912.tif 000008
【図７】
0003196912.tif 000009
【図８】
0003196912.tif 000010
【図９】
0003196912.tif 000011
【図１０】
0003196912.tif 000012
【図１１】
0003196912.tif 000013
【図１２】
0003196912.tif 000014
【図１３】
0003196912.tif 000015
【図１４】
0003196912.tif 000016